(57)【要約】【課題】  観血式血圧測定用の圧力測定ラインを提供する。【解決手段】  本発明は特に、観血式血圧測定用の圧力測定ラインに関する。この圧力測定ラインは、柔軟性のある材料から成る壁によって囲まれた流路を持つ。壁は、少なくとも１つの内側ホース（２）と内側ホースを包む外側ホース（３）を含み、内側ホース（２）の材料は外側ホース（３）の材料より硬く、内側ホース（２）の壁厚は外側ホース（３）の壁厚よりも薄い。また、前記外側ホース（３）の内表面（６）は全面にわたって前記内側ホース（２）の外表面（５）と接している。【選択図】図２
2006346451.tif 000002
【特許請求の範囲】
【請求項１】
柔軟性のある材料から成る壁によって囲まれた流路を持つ、観血式血圧測定用の圧力測定ラインであって、
前記壁は、少なくとも１つの内側ホース（２）と当該内側ホースを包む外側ホース（３）とを含み、
前記内側ホース（２）の材料は前記外側ホース（３）の材料より硬く、
前記内側ホース（２）の壁厚は前記外側ホース（３）の壁厚よりも薄く、
前記外側ホース（３）の内表面（６）は全面にわたって前記内側ホース（２）の外表面（５）と接している
圧力測定ライン。
【請求項２】
前記内側ホース（２）の材料と前記外側ホース（３）の材料は、移行領域で混ざっている
請求項１に記載の圧力測定ライン。
【請求項３】
前記内側ホース（２）の内表面に、前記内側ホース（２）の材料よりも柔らかい材料から成るコーティング膜（７）が形成されている
請求項１または２に記載の圧力測定ライン。
【請求項４】
前記コーティング膜（７）の厚みは前記外側ホース（３）の壁厚より薄く、好ましくは前記内側ホース（２）の壁厚よりも薄い
請求項３に記載の圧力測定ライン。
【発明の詳細な説明】
【技術分野】
【０００１】
本発明は圧力測定ラインに関する。特に本発明は、請求項１の導入部分に記載の観血式血圧測定に関する。
【背景技術】
【０００２】
観血式血圧測定では、圧力測定用トランスデューサーがホース状の圧力測定ラインを介して患者の動脈または静脈に接続される（特許文献１を参照のこと）。圧力測定用トランスデューサーは、測定対象の血圧に対応した電気出力信号を生成する。電気出力信号は通常モニタに表示される。この電気信号の生成処理においては、液体で満たされた伝達系が用意され、患者の血圧の衝撃を周期的に受け取り、血圧の変化を圧力測定用トランスデューサーに伝える。医師は血圧の時系列パターンを見ることによって、重要な情報を得る。
【特許文献１】ＤＥ  ４４  ００  ９４１  Ｃ１
【発明の開示】
【発明が解決しようとする課題】
【０００３】
ここで問題になっているのは、最終的にモニタに表示される信号と血圧のパターンが実際にどこまで一致しているのかということである。誤差の大きな要因となり得るのが、圧力測定ラインである。圧力測定ラインが持つ固有の周波数と減衰により、程度はさまざまだが、血圧パターンがゆがめられてしまう。
【０００４】
今日まで、圧力測定ラインとしては柔軟性のあるホースが用いられてきた。このようなホースは取り扱いや位置合わせが簡単という利点がある一方、柔軟性があるが故に共振周波数が減少して、そのため伝達誤差が大きくなってしまうという欠点がある。
【０００５】
本発明は、取り扱いが簡単で、且つ測定結果をまったくまたはほとんどゆがめない圧力測定ラインを提供することを目的とする。
【課題を解決するための手段】
【０００６】
この目的は、請求項１に記載する特徴によって達成される。本発明の実施形態や変形例は従属請求項から実現できる。
【０００７】
本発明は基本的に、少なくとも内側ホースと内側ホースを包む外側ホースを有し、内側ホースの材料は外側ホースの材料より硬く、内側ホースの厚みは外側ホースの厚みより薄い圧力測定ラインを提供する。
【発明の効果】
【０００８】
液体の流路がある内側ホースのほうが硬いので、圧力パルスがまったくまたはほとんどゆがめられない。内側ホースの弾力性が小さくなったので、伝達系の共振周波数は比較的高く、評価対象の血圧パターンの関連周波数部分は共振周波数より低くなる。このため、血圧パターンの伝達精度は従来に比べて向上する。また、共振周波数領域において一定の高さ以上の振幅は減衰されるので、減衰も希望通り実現することができる。外側ホースは内側ホースより柔らかいので、圧力測定ラインは柔軟性を維持する。このため、位置合わせおよび取り扱いが簡単である。
【０００９】
従って、ニック（ｋｎｉｋ）形成に対して必要な耐性も確保される。内側ホースと外側ホースは、外側ホースの内表面と内側ホースの外表面が全面にわたって接触するように、全面で密着している。両ホースは共押し出しによって形成されており、両ホースの材料は移行領域で混じっている。
【００１０】
本発明の変形例によると、硬い内側ホースは内側ホースの材料より柔らかい樹脂製の内部層を有するとしてもよい。内部層は減衰を制御する。この内部層は、内側ホースと全表面で接する別のホースであってもよい。また、内部層を形成するホースも共押し出しによって形成されていてもよい。この構成によると、内部層を構成するホースの材料と内側ホースの材料は移行領域で混じる。
【００１１】
内部層の厚みは、望ましい減衰挙動を達成できるように、内側ホースの厚みより厚くまたは薄く設定される。
【００１２】
圧力測定ラインの長さは希望に応じて調節できるが、共振周波数と減衰係数がさまざまなパラメータの関数であることを当然考えに入れなければならない。圧力測定ラインの長さ以外のパラメータとしては、流路の直径、材料の属性（特に弾性係数および両ホースの硬さ）、両ホースの壁厚および圧力測定ラインを置いた時の形状などが挙げられる。圧力測定ラインは、圧力波の反射を回避すべくできる限り直線状に置き、大きく湾曲しないように気をつける。
【００１３】
圧力測定ラインのパラメータや材料は、伝達系の共振周波数ができる限り高くなるように設定すべきである。これを怠ると、測定誤差が大きくなったり電気出力信号の解釈を間違える可能性があり、結果として患者に間違った治療を行うことにつながりかねない。一方、圧力測定ラインの使い勝手を良くし、位置合わせを柔軟に行えるよう、十分な柔軟性も確保しなければならない。
【００１４】
以下では実施例を用いて図面を参考に本発明を詳しく説明する。
【図面の簡単な説明】
【００１５】
【図１】図１は圧力測定ラインの横断面図である。
【００１６】
【図２】図２は圧力測定ラインの一部を示す縦断面図である。
【発明を実施するための最良の形態】
【００１７】
参照番号１は、圧力測定ライン全体を示す。圧力測定ライン１は、少なくとも１つの内側ホース２と、内側ホース２を包む外側ホース３を有する。内側ホース２は流路４を形成する。流路４の一端は、血圧を測定する時、カテーテル（不図示）によって患者の動脈や静脈といった血管につながれ、他端は圧力測定用トランデューサーに接続されている。
【００１８】
ホース２およびホース３は、全面にわたって互いに接しており、内側ホース２の外表面５は全面にわたって外側ホース３の内表面６と接している。内側ホース２と外側ホース３は異なる材料から成り、内側ホース２の材料が外側ホース３の材料より硬い。このような構成とすることで、流路４における圧力振動の振動減衰が大幅に減少する。ホース２および３は共押し出しによって形成し、内側ホース２と外側ホース３の材料が移行領域で混じる構成としてもよい。
【００１９】
所定の減衰挙動を調整する目的で、内側ホース２は内壁７に、内側ホース５（原文のまま：正しくは２）より柔らかい材料から成るコーティング膜７を含むとしてもよい。この層７もまた、全面にわたって内側ホース２と接していると共に、内側ホース２の材料とコーティング膜７の材料が移行領域で混じるように、共押し出しによって生成するとしてもよい。
【００２０】
内側ホース２の壁厚は、外側ホース３の壁厚よりも薄い。任意で形成されるコーティング膜７の壁厚は、外側ホース３の壁厚よりも薄く、望ましい減衰挙動を達成できるように内側ホース２の壁厚よりも薄くまたは厚く、もしくは同じ厚みを持つように設定される。
【００２１】
材質や寸法を決定する時は、所望の圧力範囲および周波数範囲を最適に伝え、測定結果のゆがみをできる限り最小限にとどめるべく、共振周波数をなるべく高く設定すると共に減衰を低く設定しすぎないように注意しなければならない。また、圧力測定ラインは、取り扱いが簡単で、且つ患者と圧力測定トランデューサーの間を結べるよう、十分に柔軟でなければならない。
【図１】
2006346451.tif 000003
【図２】
2006346451.tif 000004
【外国語明細書】
2006346451.tif 000005
2006346451.tif 000006
2006346451.tif 000007
2006346451.tif 000008
2006346451.tif 000009
2006346451.tif 000010
2006346451.tif 000011
2006346451.tif 000012
2006346451.tif 000013